(57)【特許請求の範囲】
【請求項１】
光を射出する光源装置と、
前記光源装置から射出される光を映像信号に応じて変調する光変調装置と、
前記光変調装置により変調された光を投射する投射光学装置と、
冷却対象を冷却する冷却装置と、
前記冷却装置を制御する制御部と、
を備え、
前記冷却装置は、前記冷却装置が作動状態および非作動状態のいずれかにあることを示す信号を出力し、
前記制御部は、前記冷却装置および前記冷却対象が前記非作動状態にあるときに前記冷却装置から出力された前記信号を検出する信号検出動作を行い、
前記信号検出動作において前記冷却装置が前記作動状態にあることを示す信号を検出した場合に、前記冷却対象を動作させないことを特徴とするプロジェクター。
【請求項２】
請求項１に記載のプロジェクターであって、
前記制御部は、前記プロジェクターの電源投入後であり、かつ前記冷却装置の作動前に、前記信号検出動作を行うことを特徴とするプロジェクター。
【請求項３】
請求項１または２に記載のプロジェクターであって、
前記制御部は、前記信号検出動作において前記冷却装置が前記非作動状態にあることを示す信号を検出した場合に、前記冷却対象の動作を開始させることを特徴とするプロジェクター。
【請求項４】
請求項１または２に記載のプロジェクターであって、
前記制御部は、前記冷却装置が前記非作動状態であり、かつ、前記冷却対象が前記作動状態であるときに前記信号検出動作を行い、
前記制御部は、前記信号検出動作において前記冷却装置が前記作動状態にあることを示す信号を検出した場合に、前記冷却対象の動作を停止させることを特徴とするプロジェクター。
【請求項５】
請求項１または２に記載のプロジェクターであって、
前記制御部は、前記冷却装置が前記非作動状態であり、かつ、前記冷却対象が前記作動状態であるときに前記信号検出動作を行い、
前記制御部は、前記信号検出動作において前記冷却装置が前記非作動状態にあることを示す信号を検出した場合に、前記冷却対象の動作を継続させることを特徴とするプロジェクター。
【請求項６】
請求項１から５のいずれか一項に記載のプロジェクターであって、
前記制御部は、前記信号検出動作において前記冷却装置が前記作動状態にあることを示す信号を検出した場合に、警告信号を出力することを特徴とするプロジェクター。
【請求項７】
請求項１から６のいずれか一項に記載のプロジェクターであって、
前記冷却装置は、前記冷却対象として前記光源装置を冷却することを特徴とするプロジェクター。
【請求項８】
冷却対象を冷却する冷却装置を備えるプロジェクターの制御方法であって、
前記冷却装置が作動状態および非作動状態のいずれかにあることを示す信号を出力するステップと、
前記冷却装置および前記冷却対象が前記非作動状態にあるときに前記冷却装置から出力された前記信号を検出する信号検出動作を行うステップと、
を含み、
前記冷却装置が前記作動状態にあることを示す信号を検出した場合に、前記冷却対象を動作させないことを特徴とするプロジェクターの制御方法。
【発明の詳細な説明】
【技術分野】
【０００１】
本発明は、プロジェクターおよびプロジェクターの制御方法に関する。
【背景技術】
【０００２】
光源ランプと、光源ランプを冷却する冷風を発生する複数のファンと、を備えたプロジェクターが、下記の特許文献１に開示されている。このプロジェクターにおいて、検出手段が複数のファン各々の異常を検出し、その検出結果に基づいて、制御手段は、異常と判断されたファンを停止させ、他の正常なファンを稼働させる。このように、このプロジェクターは、一部のファンの異常を検出した後も、他のファンによって光源ランプの冷却を継続して行うことができる。
【先行技術文献】
【特許文献】
【０００３】
【特許文献１】特開２００６−２３５３１７号公報
【発明の概要】
【発明が解決しようとする課題】
【０００４】
しかしながら、特許文献１のプロジェクターにおいて、ファンの異常を検出する検出手段が故障した場合、ファンの異常を検出できなくなるという問題があった。例えば、正常に回転していたファンが異物を噛み込んで停止したとき、検出手段が故障していると、ファンが停止しているにも係わらず、ファンの停止を示す検出信号が出力されない場合がある。この場合、制御手段はファンの異常を認識しないため、光源ランプは冷却されないまま点灯を続ける。その結果、光源ランプの温度が上昇し、光源ランプの劣化や破損を招くおそれがある。
【０００５】
以上、光源ランプを冷却するファンを例に挙げて説明したが、これは、光源ランプを冷却するファンに限らず、プロジェクターの各部を冷却する冷却装置に共通の課題である。
【０００６】
本発明の一つの態様は、上記の課題を解決するためになされたものであって、冷却装置の作動状態を検出する検出手段の異常を検出することにより、冷却装置の異常に伴う不具合の発生を抑制できるプロジェクターを提供することを目的の一つとする。また、冷却装置の作動状態を検出する検出手段の異常を検出することにより、冷却装置の異常に伴う不具合の発生を抑制できるプロジェクターの制御方法を提供することを目的の一つとする。
【課題を解決するための手段】
【０００７】
上記の目的を達成するために、本発明の一つの態様のプロジェクターは、光を射出する光源装置と、前記光源装置から射出される光を映像信号に応じて変調する光変調装置と、前記光変調装置により変調された光を投射する投射光学装置と、冷却対象を冷却する冷却装置と、前記冷却装置を制御する制御部と、を備え、前記冷却装置は、前記冷却装置が作動状態および非作動状態のいずれかにあることを示す信号を出力する機能を有し、前記制御部は、前記冷却装置が前記非作動状態にあるときに前記冷却装置から出力された前記信号を検出する信号検出動作を行うことを特徴とする。
【０００８】
本発明の一つの態様のプロジェクターにおいて、冷却装置は、冷却装置自身が作動状態および非作動状態のいずれかにあることを示す信号を出力する機能を有する。そのため、制御部は、冷却装置から出力された信号を検出する信号検出動作を行うことにより、冷却装置が現在、作動状態および非作動状態のいずれの状態にあるかを認識することができる。また、冷却装置が非作動状態にあるときに冷却装置から出力された信号が検出されるが、冷却装置が非作動状態にあるとき、冷却対象が非作動状態もしくは作動開始直後である場合が多く、冷却装置が非作動状態であっても冷却対象の温度が上昇することがないため、冷却対象に不具合が生じることがない。
【０００９】
本発明の一つの態様のプロジェクターにおいて、前記制御部は、前記プロジェクターの電源投入後であり、かつ前記冷却装置の作動前に、前記信号検出動作を行ってもよい。
この構成によれば、作動中の冷却装置をわざわざ停止させることもなく、制御部は信号検出動作を円滑に行うことができる。また、プロジェクターの電源投入後、かつ冷却装置の作動前であれば、冷却対象の温度が上昇していることもなく、冷却対象に不具合が生じることがない。
【００１０】
本発明の一つの態様のプロジェクターにおいて、前記制御部は、前記冷却装置および前記冷却対象が前記非作動状態であるときに前記信号検出動作を行い、前記信号検出動作において前記冷却装置が前記作動状態にあることを示す信号を検出した場合に、前記冷却対象を動作させないようにしてもよい。
冷却装置が非作動状態にあるときに信号検出動作を行なっているにも係わらず、冷却装置が作動状態にあることを示す信号が検出された場合、冷却装置の作動状態および非作動状態のいずれかを示す信号の出力機能に何らかの故障が発生したと判断される。この場合、冷却対象を動作させないようにすれば、冷却対象の不具合を未然に防止することができる。
【００１１】
本発明の一つの態様のプロジェクターにおいて、前記制御部は、前記信号検出動作において前記冷却装置が前記非作動状態にあることを示す信号を検出した場合に、前記冷却対象の動作を開始させるようにしてもよい。
この構成によれば、冷却対象の動作を支障なく開始させることができる。
【００１２】
本発明の一つの態様のプロジェクターにおいて、前記制御部は、前記冷却装置が前記非作動状態であり、前記冷却対象が前記作動状態であるときに前記信号検出動作を行い、前記信号検出動作において前記冷却装置が前記作動状態にあることを示す信号を検出した場合に、前記冷却対象の動作を停止させるようにしてもよい。
冷却装置が非作動状態にあるときに信号検出動作を行なっているにも係わらず、冷却装置が作動状態にあることを示す信号が検出された場合、冷却装置の作動状態および非作動状態のいずれかを示す信号の出力機能に何らかの故障が発生したと判断される。この場合、冷却対象の動作を停止させるようにすれば、冷却対象の不具合を未然に防止することができる。
【００１３】
本発明の一つの態様のプロジェクターにおいて、前記制御部は、前記信号検出動作において前記冷却装置が前記非作動状態にあることを示す信号を検出した場合に、前記冷却対象の動作を継続させるようにしてもよい。
この構成によれば、冷却対象の動作を支障なく継続させることができる。
【００１４】
本発明の一つの態様のプロジェクターにおいて、前記制御部は、前記信号検出動作において前記冷却装置が前記作動状態にあることを示す信号を検出した場合には、警告信号を出力してもよい。
冷却装置が非作動状態にあるときに信号検出動作を行なっているにも係わらず、冷却装置が作動状態にあることを示す信号が検出された場合、冷却装置の作動状態および非作動状態のいずれかを示す信号の出力機能に何らかの故障が発生したと判断される。この場合、制御部が警告信号を出力する構成とすれば、プロジェクターの使用者に故障の発生を知らせることができ、冷却対象の不具合を未然に防止することができる。
【００１５】
本発明の一つの態様のプロジェクターにおいて、前記冷却装置は、前記冷却対象として前記光源装置を冷却する構成であってもよい。
例えば放電灯等を備える光源装置は作動時に高温になりやすいため、特に本発明の構成が好適に利用できる。
【００１６】
本発明の一つの態様のプロジェクターの制御方法は、光を射出する光源装置と、冷却対象を冷却する冷却装置と、を備えるプロジェクターの制御方法であって、前記冷却装置が作動状態および非作動状態のいずれかにあることを示す信号を出力することと、前記冷却装置が前記非作動状態にあるときに前記冷却装置から出力された前記信号を検出する信号検出動作を行うことと、を含むことを特徴とする。
本発明の一つの態様のプロジェクターの制御方法においては、冷却装置が非作動状態にあるときに冷却装置から出力された信号を検出するが、冷却装置が非作動状態にあるとき、冷却対象は非作動状態もしくは作動開始直後である場合が多く、冷却装置が非作動状態であっても冷却対象の温度が上昇することがないため、冷却対象に不具合が生じることがない。
【図面の簡単な説明】
【００１７】
【図１】本発明の一実施形態のプロジェクターの概略構成図である。
【図２】回転検出回路の一例を示す等価回路図である。
【図３】回転検出信号の一例を示すタイミングチャートである。
【図４】制御部の信号検出動作の一例を示すフローチャートである。
【発明を実施するための形態】
【００１８】
以下、図面を参照しながら、本発明の一実施形態に係るプロジェクターについて説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００１９】
図１は、本実施形態に係るプロジェクター１Ａの構成概略図である。
本実施形態に係るプロジェクター１Ａは、図１に示すように、内部に設けられた光源から射出された光を変調して、画像情報に応じた画像光を形成し、画像光をスクリーン等の被投射面上に拡大投射するものである。プロジェクター１Ａは、外装を構成する外装筐体２と、外装筐体２内に収納される装置本体３と、を備える。
【００２０】
外装筐体２は、平面視したときに略矩形状に形成された箱体である。外装筐体２は、天面（図示せず）と、正面２Ｂと、背面２Ｃと、左側面２Ｄと、右側面２Ｅと、底面（図示せず）と、を備える。外装筐体２の底面には、複数の脚部（図示せず）が設けられている。プロジェクター１Ａは、脚部が設置面に接するように配置されることで正置き姿勢となる。プロジェクター１Ａは、正置き姿勢とは上下を逆にして底面を天井等に向けた状態で取り付けられることで天吊り姿勢となる。
【００２１】
装置本体３は、光学制御装置２００ａと、第１冷却装置ＣＵ１と、光学ユニット４と、を備える。装置本体３は、図示を省略したが、プロジェクター１Ａの各構成部材に駆動電力を供給する電源装置等を備える。
【００２２】
光学制御装置２００ａは、第１冷却装置ＣＵ１と、光学ユニット４と、を制御する。第１冷却装置ＣＵ１は、ファンＦ１およびファンＦ２により構成されている。第１冷却装置ＣＵ１は、外装筐体２の外部から冷却流体である冷却空気を導入し、光学ユニット４、光学制御装置２００ａおよび電源装置に冷却空気を送風して、これらの装置を冷却する。ファンＦ１およびファンＦ２は、投射光学装置４５を挟むように配置されている。ファンＦ１およびファンＦ２は、シロッコファンで構成されている。ファンＦ１およびファンＦ２は、外装筐体２に形成された吸気口（図示せず）から外部の冷却空気を導入し、後述する電気光学装置４４に冷却空気を送風する。
【００２３】
光学ユニット４は、光学制御装置２００ａによる制御の下、画像情報に応じた画像光を形成し、画像光をスクリーン等に投射する。光学ユニット４は、光源装置５と、照明光学装置４１と、色分離光学装置４２と、リレー光学装置４３と、電気光学装置４４と、投射光学装置（投射光学系）４５と、光学部品用筐体４６と、を備える。
光学部品用筐体４６は、光学ユニット４の各装置を、内部に設定された照明光軸Ａ上の所定位置に収納し、投射光学装置４５を支持する。
【００２４】
光源装置５は、光を射出する。光源装置５は、第２冷却装置（冷却装置）ＣＵ２と、光源ユニット５０と、平行化凹レンズ５６と、ハウジング５７と、ファン制御装置２００ｂと、を備える。
【００２５】
第２冷却装置ＣＵ２は、ファンＦ３およびファンＦ４により構成されている。
ファンＦ３およびファンＦ４は、光源ユニット５０の近傍に配置され、冷却対象として光源ユニット５０を冷却する。ファンＦ３は、プロジェクター１Ａの背面２Ｃ側に位置し、例えばシロッコファンで構成されている。ファンＦ３は、外装筐体２内の冷却空気を吸引して、光源ユニット５０に送風する。
本実施形態の第２冷却装置ＣＵ２は、特許請求の範囲の冷却装置に対応する。
【００２６】
ファンＦ４は、プロジェクター１Ａの正面２Ｂ側に位置し、例えば軸流ファンで構成されている。ファンＦ４は、光源ユニット５０を冷却した空気を吸引して、プロジェクター１Ａの正面２Ｂに向かって排出し、正面２Ｂの排気口２Ｂ１を介して空気を外装筐体２外に排出する。
なお、ファンＦ３は軸流ファンであってもよく、ファンＦ４はシロッコファンであってもよい。排気口２Ｂ１は、外装筐体２のどの面に形成されていてもよい。
【００２７】
光源ユニット５０は、主反射鏡５５と、放電灯９０と、副反射鏡５２と、放電灯点灯装置（図示せず）と、を備えている。主反射鏡５５は、放電灯９０から放出された光を放電灯９０の照明光軸Ａと平行な方向に向けて反射する。放電灯９０の形状は、照明光軸Ａに沿って延びる棒状である。放電灯９０の材料は、例えば石英ガラス等の透光性材料である。放電灯９０の中央部は球状に膨らんでおり、その内部は放電空間である。放電空間には、希ガス、金属ハロゲン化合物等を含む放電媒体であるガスが封入されている。
【００２８】
副反射鏡５２は、放電により生じた光のうち、主反射鏡５５が配置された側と反対側に向かって進む光を主反射鏡５５に向かって反射する。これにより、放電空間から放射される光の利用効率を高めることができる。
【００２９】
ハウジング５７は、図１に示すように、光源ユニット５０および平行化凹レンズ５６を収納する。平行化凹レンズ５６は、主反射鏡５５により収束される光を、照明光軸Ａに対して平行化する。
【００３０】
ファン制御装置２００ｂは、第２冷却装置ＣＵ２、すなわち、ファンＦ３およびファンＦ４を制御する。ファン制御装置２００ｂには、放電灯９０の第１電極と第２電極との間に印加されるランプ電圧（電極間電圧）と、第２冷却装置ＣＵ２のファン電圧（回転数に対応）と、の関係を示す制御情報ＣＩが入力されていてもよい。
本実施形態においては、光学制御装置２００ａとファン制御装置２００ｂとにより、制御ユニット２００が構成されている。
本実施形態の制御ユニット２００は、特許請求の範囲の制御部に対応する。
【００３１】
照明光学装置４１は、一対のレンズアレイ４１１，４１２と、偏光変換素子４１３と、重畳レンズ４１４と、を備える。色分離光学装置４２は、ダイクロイックミラー４２１，４２２と、反射ミラー４２３と、を備える。リレー光学装置４３は、入射側レンズ４３１と、リレーレンズ４３３と、反射ミラー４３２，４３４と、を備える。
【００３２】
電気光学装置４４は、フィールドレンズ４４１と、光変調装置としての液晶パネル４４２と、入射側偏光板４４３と、視野角補償板４４４と、射出側偏光板４４５と、色合成光学装置としてのクロスダイクロイックプリズム４４６と、を備える。  液晶パネル４４２は、赤色光用の液晶パネル４４２Ｒと、緑色光用の液晶パネル４４２Ｇと、青色光用の液晶パネル４４２Ｂと、を備える。フィールドレンズ４４１、入射側偏光板４４３、視野角補償板４４４および射出側偏光板４４５は、液晶パネル４４２Ｒ，４４２Ｇ，４４２Ｂごとにそれぞれ設けられている。
【００３３】
投射光学装置４５は、電気光学装置４４で変調された光束を拡大投射する。投射光学装置４５は、図示を省略するが、筒状の鏡筒内に複数のレンズが収納された組レンズとして構成されている。
【００３４】
光源装置５から射出された光は、照明光学装置４１により、照明領域内の照度が略均一化される。照明光学装置４１から射出された光は、色分離光学装置４２によって赤（Ｒ）、緑（Ｇ）、青（Ｂ）の３つの色光に分離される。分離された各色光は、各液晶パネル４４２において画像情報に応じてそれぞれ変調される。変調された各色光は、クロスダイクロイックプリズム４４６により合成され、投射光学装置４５により投射面（例えばスクリーン等）上に拡大投射される。
【００３５】
本実施形態の場合、第２冷却装置ＣＵ２は、ファンＦ３およびファンＦ４の各々が作動状態／非作動状態のいずれの状態にあるかを示す信号を出力する機能を有する。この種の信号を生成する具体的な手段として、第２冷却装置ＣＵ２を構成するファンＦ３は、ファンＦ３自身の回転を検出するための回転検出回路を備える。同様に、ファンＦ４は、ファンＦ４自身の回転を検出するための回転検出回路を備える。
【００３６】
図２は、回転検出回路１０の一例を示す等価回路図である。
図２に示すように、回転検出回路１０は、トランジスタ１１と、トランジスタ１１のコレクタに接続されたプルアップ抵抗１２と、を含むオープンコレクタ出力回路から構成される。トランジスタ１１のエミッタは接地されている。トランジスタ１１のベースには、例えばファンＦ３が回転しているときと、回転していないときと、で逆極性の電圧が入力される。その結果、ファンＦ３が回転している間はトランジスタがオン状態となり、ファンＦ３が回転していない間はトランジスタがオフ状態となる。ファンＦ４についても、ファンＦ３と同様である。プルアップ抵抗１２の一端には、例えば１５Ｖ程度のプルアップ電圧Ｖｃが印加される。回転検出信号は、プルアップ抵抗１２の他端から出力される。
【００３７】
図３は、回転検出回路１０から出力される回転検出信号の一例を示すタイミングチャートである。図３の上段は回転速度を示し、図３の下段は回転検出信号を示す。
図３に示すように、例えば時刻ｔ０において回転速度ＳＨで回転していたファンＦ３が、時刻ｔ１において停止した場合を想定する。
ファンＦ３が回転している期間はトランジスタがオン状態にあるため、回転検出信号として接地電位（ローレベルの電位：ＶＯＬ）が出力される。その後、ファンＦ３が停止すると、トランジスタがオフ状態となるため、回転検出信号としてプルアップ電位（ハイレベルの電位：ＶＯＨ）が出力される。すなわち、回転していたファンＦ３が停止すると、回転検出信号はローレベルの電位ＶＯＬからハイレベルの電位ＶＯＨに変化する。
このようにして、回転検出回路１０は、ファンＦ３もしくはファンＦ４が回転状態および停止状態のいずれの状態にあるかを示す信号を出力する。
【００３８】
ここでは、回転検出信号として、ファンの回転時と停止時とで異なる電圧レベルを示す信号の例を挙げたが、この例に限定されない。回転検出信号として、例えばファンが１回転する毎に２個のパルスを発生するというように、ファンの回転に同期して出力されるパルス信号を用いてもよい。
【００３９】
以下、制御ユニット２００の信号検出動作について説明する。
図４は、制御ユニット２００の信号検出動作の一例を示すフローチャートである。
制御ユニット２００は、以下のフローに基づいて、プロジェクター１Ａの電源が投入されてファンＦ３およびファンＦ４が作動する前であり、ファンＦ３およびファンＦ４が停止状態（非作動状態）であるときに、ファンＦ３およびファンＦ４から出力される回転検出信号を検出する信号検出動作を行う。
なお、図４では、制御ユニット２００が、冷却対象としての光源ユニット５０が消灯状態（非作動状態）であるときに信号検出動作を行う場合を説明する。
【００４０】
最初に、プロジェクター１Ａの使用を開始する場合、使用者はプロジェクター１Ａの電源を投入する（ステップＳ１）。このとき、電源スイッチから電源投入信号が制御ユニット２００に出力される。
次いで、制御ユニット２００は、電源投入信号を受けて、プロジェクター１Ａの立ち上げ動作を開始する（ステップＳ２）。
【００４１】
プロジェクター１Ａの電源投入直後であり、ファンＦ３およびファンＦ４が停止している期間において、制御ユニット２００は、信号検出動作として、ファンＦ３およびファンＦ４から出力される回転検出信号を検出する（ステップＳ３）。このとき、上述の通り、冷却対象としての光源ユニット５０は消灯状態（非作動状態）である。
【００４２】
次に、制御ユニット２００は、検出された回転検出信号が、ファンＦ３およびファンＦ４が停止状態（非作動状態）であることを示すか否かを判断する（ステップＳ４）。すなわち、制御ユニット２００は、検出された回転検出信号が、ファンＦ３およびファンＦ４が停止状態（非作動状態）であるか回転状態（作動状態）であるかを判断する。
このとき、検出された回転検出信号がハイレベルの電位ＶＯＨを示す場合、すなわちファンＦ３およびファンＦ４が停止状態である場合（ステップＳ４：ＹＥＳ）、制御ユニット２００は、プロジェクター１Ａの電源投入直後であり、ファンＦ３およびファンＦ４が停止しているときに、ファンＦ３およびファンＦ４が非動作状態であることを示す回転検出信号を検出するため、ファンＦ３およびファンＦ４の回転検出回路１０が正常に動作していると判断する。
【００４３】
この場合、制御ユニット２００は、プロジェクター１Ａの立ち上げ動作を継続し、冷却対象としての光源ユニット５０の動作を開始させる、すなわち、光源ユニット５０の点灯を開始させる（ステップＳ５）。
【００４４】
一方、ステップＳ４において、検出された回転検出信号がローレベルの電位ＶＯＬを示す場合、すなわちファンＦ３およびファンＦ４が回転状態（作動状態）である場合（ステップＳ４：ＮＯ）、制御ユニット２００は、プロジェクター１Ａの電源投入直後であり、ファンＦ３およびファンＦ４が停止しているときに、ファンＦ３およびファンＦ４が動作状態であることを示す回転検出信号を検出するため、ファンＦ３およびファンＦ４の回転検出回路１０が故障していると判断する。
【００４５】
この場合、制御ユニット２００は、プロジェクター１Ａの立ち上げ動作を中止し、冷却対象としての光源ユニット５０を動作させない、すなわち光源ユニット５０の点灯を開始させない（ステップＳ６）。
さらに、制御ユニット２００は、ファンＦ３およびファンＦ４の回転検出回路１０が故障していること外部に知らせるために警告信号を出力し、例えば、プロジェクター１Ａの外装筐体に設けられた図示しないＬＥＤ表示灯を点灯させる（ステップＳ７）。これにより、使用者は、ファンＦ３およびファンＦ４の回転検出回路１０が故障していることを認識することができる。なお、制御ユニット２００が出力する警告信号により、プロジェクター１Ａに設けられた図示しないスピーカーから警告音を発する構成としてもよい。
【００４６】
本実施形態のプロジェクター１Ａにおいて、第２冷却装置ＣＵ２は、ファンＦ３およびファンＦ４が回転状態および停止状態のいずれの状態にあるかを示す回転検出信号を出力する機能を有する。これにより、制御ユニット２００は、信号検出動作を行うことによってファンＦ３およびファンＦ４が回転状態および停止状態のいずれの状態にあるかを認識できる。信号検出動作は、プロジェクター１Ａの電源投入後であって光源ユニット５０が消灯し、かつ、ファンＦ３およびファンＦ４が停止している期間に行われるため、ファンＦ３およびファンＦ４の回転検出回路１０が故障等の異常状態である場合に、光源ユニット５０が動作しているにも係らずファンＦ３およびファンＦ４が光源ユニットを冷却していない等の光源ユニット５０が冷却不足となることを防止できる。これにより、光源ユニット５０の温度が上昇することがなく、光源ユニット５０が破損するなどの不具合が生じることがない。
【００４７】
また、制御ユニット２００は、プロジェクター１Ａの電源投入後の立ち上げ期間に信号検出動作を行うため、回転中のファンＦ３およびファンＦ４をわざわざ停止させることもなく、信号検出動作を円滑に行うことができる。また、制御ユニット２００は、回転検出回路１０の故障が発生したと判断した場合、光源ユニット５０の点灯を開始させずに、さらに警告を発するため、光源ユニット５０の不具合を未然に防止することができる。
【００４８】
また、上記実施形態の他の一例として、制御ユニット２００が、冷却対象としての光源ユニット５０が点灯状態（作動状態）であるときに信号検出動作を行う場合を説明する。すなわち、制御ユニット２００は、プロジェクター１Ａの電源が投入されてファンＦ３およびファンＦ４が作動する前でファンＦ３およびファンＦ４が停止状態（非作動状態）であり、かつ冷却対象としての光源ユニット５０が点灯状態（作動状態）であるときに、ファンＦ３およびファンＦ４から出力される回転検出信号を検出する信号検出動作を行う。
【００４９】
具体的に、例えば、図４におけるステップＳ４において、制御ユニット２００は、検出された回転検出信号が、ファンＦ３およびファンＦ４が非作動状態であることを示すと判断した場合、制御ユニット２００は、ファンＦ３およびファンＦ４の回転検出回路１０が正常に動作していると判断し、ステップＳ５の代わりに、作動状態である光源ユニット５０の点灯を継続させるように制御してもよい。
【００５０】
また、ステップＳ４において、制御ユニット２００は、検出された回転検出信号が、ファンＦ３およびファンＦ４が作動状態であることを示すと判断した場合、制御ユニット２００は、ファンＦ３およびファンＦ４の回転検出回路１０に故障等の異常が発生していると判断し、ステップＳ６の代わりに、作動状態の光源ユニット５０を停止させる、すなわち消灯させるように制御してもよい。
【００５１】
この例では、光源ユニット５０が作動状態であっても、プロジェクター１Ａの電源投入直後、かつ、ファンＦ３およびファンＦ４が停止しているときに信号検出動作が行われる。そのため、光源ユニット５０の温度が、光源ユニット５０が定常点灯状態であるときの温度に達する前に、制御ユニット２００は光源ユニット５０を停止させ、光源ユニット５０が破損するなどの不具合を防止することができる。
【００５２】
なお、本発明の技術範囲は上記実施形態に限定されるものではなく、本発明の趣旨を逸脱しない範囲において種々の変更を加えることが可能である。
例えば上記実施形態では、プロジェクターの電源投入後の立ち上げ期間において制御ユニットが信号検出動作を行う例を挙げたが、必ずしもプロジェクターの立ち上げ期間において信号検出動作を行なわなくてもよい。例えば複数の放電灯を備えた光源ユニットを備えたプロジェクターの場合、画像表示期間のうちの一部の放電灯が消灯している期間にファンを停止させ、制御部がこのタイミングで信号検出動作を行なってもよい。この構成によれば、プロジェクターの使用中に回転検出回路が故障した場合にも異常検出が可能である。さらに、制御部は、立ち上げ期間と画像表示期間の双方で信号検出動作を行なってもよい。
【００５３】
また、上記実施形態において、制御ユニット２００は、冷却装置としての各ファンＦ３およびファンＦ４が備える回転検出回路１０の正常および異常を判断したが、制御ユニット２００は、制御ユニット２００自身が有する機能の一つとしての、ファンＦ３およびファンＦ４が出力する回転検出信号を検出する機能について正常および異常を判断してもよい。
【００５４】
また、冷却装置の冷却対象は必ずしも光源ユニットでなくてもよく、光変調装置や投射光学系、レンズアレイ４１１，４１２や偏光変換素子４１３等の他の光学部品、各構成部材に駆動電力を供給する図示しない電源装置を冷却するための冷却装置に本発明を適用してもよい。
【００５５】
その他、プロジェクターの各種構成要素の形状、数、配置などについては、上記実施形態に限らず、適宜変更が可能である。また、上記実施形態では、液晶パネル等を含む液晶ライトバルブを用いたプロジェクターに本発明を適用した例を示したが、これに限られない。光変調装置としてデジタルマイクロミラーデバイスを用いたプロジェクターに本発明を適用してもよい。
【００５６】
また、上述の実施形態において、透過型の光変調装置を備えたプロジェクターに本発明を適用した場合の例について説明したが、本発明は、反射型の光変調装置を備えたプロジェクターに適用することも可能である。ここで、「透過型」とは、液晶パネル等を含む光変調装置が光を透過するタイプであることを意味する。「反射型」とは、光変調装置が光を反射するタイプであることを意味する。
【００５７】
また、上述の実施形態において、３つの光変調装置４４２Ｒ，４４２Ｇ，４４２Ｂを用いたプロジェクター１Ａの例を挙げたが、本発明は、１つの光変調装置のみを用いたプロジェクター、４つ以上の光変調装置を用いたプロジェクターにも適用可能である。
【符号の説明】
【００５８】
１Ａ…プロジェクター、５…光源装置、１０…回転検出回路、４５…投射光学装置（投射光学系）、２００…制御ユニット（制御部）、４４２，４４２Ｒ，４４２Ｇ，４４２Ｂ…液晶パネル（光変調装置）、ＣＵ１…第１冷却装置、ＣＵ２…第２冷却装置（冷却装置）。
【図１】
0006520238.tif 000002
【図２】
0006520238.tif 000003
【図３】
0006520238.tif 000004
【図４】
0006520238.tif 000005